(57)【要約】【課題】  乳房を引き上げる作用をする筋肉である小胸筋の収縮運動を促進し、肉体から根本的にバストアップを図ることのできるブラジャーを提供する。【解決手段】  乳房を覆い下から支える一対のカップ１と、これら一対のカップ１に両端が接続され背中側を通る背回り帯２と、前記カップ１および背回り帯２を肩越しに繋ぐ肩紐３とを備える。前記肩紐３は、小胸筋の外側体表部に接する部分が伸縮率の小さい素材７で成形され、当該部分の周囲が伸縮率の大きい素材６で成形されている。【選択図】  図１
2008056402.tif 000002
【特許請求の範囲】
【請求項１】
乳房を覆い下から支える一対のカップと、これら一対のカップに両端が接続され背中側を通る背回り帯と、前記カップおよび背回り帯を肩越しに繋ぐ肩紐とを備え、前記肩紐は、小胸筋の外側体表部に接する部分が伸縮率の小さい素材で成形され、当該部分の周囲が伸縮率の大きい素材で成形されていることを特徴とするブラジャー。
【発明の詳細な説明】
【技術分野】
【０００１】
この発明は、乳房を引き上げる作用をする筋肉に働きかけて肉体から根本的にバストアップを図るブラジャーに関する。
【背景技術】
【０００２】
現在、バストアップを目的とした多くの補正下着（ガードル）が開発されている。これらの補正下着のほとんどは、ワイヤーや生地の伸縮強度の違いを利用して乳房を内側に寄せるか、または形を整え、肩紐の張力で乳房全体を持ち上げるというものである（例えば特許文献１〜４）。
【特許文献１】特開平９―９５８０６号公報
【特許文献２】特開２００１−８１６０８号公報
【特許文献３】特開２００２―２１２８０５号公報
【特許文献４】特開２００２−３０９４０４号公報
【発明の開示】
【発明が解決しようとする課題】
【０００３】
上記従来のバストアップ用補正下着は、外からの力で乳房の整形、持ち上げを行うものである。このため、補正下着を外すと、乳房は本来の状態に戻ってしまう。補正下着を着用しておくことにより、重力によって乳房が垂れるのを防止するという効果はあるものの、根本的なバストアップ対策とはなっていない。【０００４】
女性誰しも若い頃は張りのある乳房をしているが、加齢と共に乳房が張りを失い垂れてくることが多い。これは乳房近辺の筋肉、特に乳房を引き上げることに関与する小胸筋の弱化が大きな原因である。小胸筋は、第３〜５肋骨から始まり、肩甲骨（鳥口突起）に付着している筋肉で、肩甲骨の下制および肋骨の挙上が主な役割であり、呼吸時の吸気の際にも使われる。小胸筋は日常的に働く必要のある筋肉であるが、インナーマッスルであるため意識的に使うことが難しい。【０００５】
本発明は、乳房を引き上げる作用をする筋肉である小胸筋の収縮運動を促進することで、根本的にバストアップを図りうるブラジャーを提供することを課題としている。
【課題を解決するための手段】
【０００６】
この発明にかかるブラジャーは、乳房を覆い下から支える一対のカップと、これら一対のカップに両端が接続され背中側を通る背回り帯と、前記カップおよび背回り帯を肩越しに繋ぐ肩紐とを備え、前記肩紐は、小胸筋の外側体表部に接する部分が伸縮率の小さい素材で成形され、当該部分の周囲が伸縮率の大きい素材で成形されていることを特徴としている。小胸筋の外側体表部とは、人体を正面から見たときに小胸筋と重なる正面側の体表部のことである。【０００７】
この構成のブラジャーを着用した場合、肩紐が伸ばされ伸縮率の大きい素材も伸びた状態となり、伸縮率の大きい素材は伸縮率の小さい素材に向かって収縮するよう作用する。この伸縮率の大きい素材の収縮作用により、小胸筋の収縮が促される。インナーマッスルである小胸筋が効率良く収縮運動を行うことで、肩甲帯を固定し肋骨を引き上げるとともに、アウターマッスルである大胸筋の鎖骨部の筋活動が促進される。これにより、乳房を中央に寄せ、かつ上方に引き上げる筋活動そのものの効果によって、正しいバストアップが得られる。
【発明の効果】
【０００８】
本発明にかかるブラジャーは、肩紐を、小胸筋の外側体表部に接する部分は伸縮率の小さい素材で成形し、当該部分の周囲は伸縮率の大きい素材で成形しているので、これを着用することにより、乳房を引き上げる作用をする筋肉である小胸筋の収縮運動が促進され、体の構造に基づいた根本的なバストアップを図ることができる。
【発明を実施するための最良の形態】
【０００９】
以下、本発明の最良の形態を、図面に表された実施例に基づいて具体的に説明する。
【実施例１】
【００１０】
図１は本発明が適用されたブラジャーの斜視図である。このブラジャーは、乳房を覆い下から支える左右一対のカップ１，１と、これら一対のカップ１，１に両端が接続され背中側を通る背回り帯２と、前記左右のカップ１，１および背回り帯の左右２箇所とをそれぞれ肩越しに繋ぐ一対の肩紐３，３とからなる。背回り帯２は、背面側の左右中央部で左帯部２ａおよび右帯部２ｂに分割されており、両帯部２ａ，２ｂをフック式の結合具を有する結合部４で結合するようになっている。また、肩紐３は背回り帯２への取付側の端部が２重に折り返してあり、この折り返し長さを変更することで、肩紐３の有効長さを調節できるようになっている。以上の構成は普通のブラジャーに見られる一般的な構成である。【００１１】
この実施例のブラジャーの特徴は、肩紐３におけるカップ１の上側部分に設けた筋収縮促進布５Ａにある。この筋収縮促進布５Ａは、図２に示すように、伸縮率の大きい素材からなる高伸縮部６と、その中央部に配した伸縮率の小さい素材からなる低伸縮部７とで構成される。筋収縮促進布５Ａ全体に対する低伸縮部７の面積比は、１／３〜１／８とするのが好ましい。低伸縮部７の位置は、着用状態において、小胸筋の外側体表部に接する位置とされている。小胸筋の外側体表部とは、人体を正面から見たときに小胸筋と重なる正面側の体表部のことである。具体的には、図３に示すように、人体を正面から見て小胸筋１０の上端に低伸縮部７が重なるように筋収縮促進布５Ａを配置するのがよい。また、筋収縮促進布５Ａは、低伸縮部７よりも少し上側の、着用状態において鎖骨と接する部分５ａの左右幅が最も広くなっている。【００１２】
低伸縮部７の素材の伸縮率ａは、０％或いは限りなく０％に近い値とする。対して、高伸縮部６の素材の伸縮率ｂは、ａが０％である場合を除いてａの２〜４０倍とするのが良く、また伸縮率ａが０％である場合には、伸縮率ｂの方がａよりも大きくなるように構成する。高伸縮部６の素材としては、例えば発熱速乾素材である２ウェイ素材が適している。また、低伸縮部７の素材としては、例えばパワーネット等が適している。上記のように高伸縮部６と低伸縮部７とを異なる素材で成形せずに、全体を伸縮率の大きい素材で成形し、低伸縮部７となる箇所を熱処理や化学処理により所望の伸縮率に低下させても良い。【００１３】
このブラジャーを着用した場合、肩紐３の筋収縮促進布５Ａがカップ１と肩の間で引き伸ばされることにより、高伸縮部６が伸びた状態となる。このとき、図２に矢印で示すように、高伸縮部６には低伸縮部７に向かって収縮しようとする作用が働く。この伸縮素材部６の収縮作用により、小胸筋１０の収縮が促される。筋収縮促進布５Ａの左右幅が最も広い部分５ａが鎖骨１３と接しているため、筋収縮促進布５Ａの位置が固定され、上記小胸筋１０の収縮促進が効果的に行われる。このように、インナーマッスルである小胸筋が効率良く収縮運動を行うと、肩甲帯１１を固定し肋骨１２を引き上げるとともに、アウターマッスルである大胸筋の鎖骨部の筋活動も促進される。これにより、乳房を中央に寄せ、かつ上方に引き上げる筋活動そのものの効果によって、正しいバストアップが得られるようになる。【００１４】
また、伸縮素材部６の素材に発熱速乾素材を用いているため、熱がこもらず、発汗しても蒸れにくく、肌荒れ等を生じさせないという効果が得られる。
【実施例２】
【００１５】
図４および図５は筋収縮促進布が異なる実施例を示す。この実施例の筋収縮促進布５Ｂは、着用時に小胸筋１０の外側体表部に接する位置に配した第１の低伸縮部７の他に、鎖骨１３の上部に対応する位置に配した第２の低伸縮部８を有する。第２の低伸縮部８は、第１の低伸縮部７と同じ素材を用いることができる。これら低伸縮部７，８の周囲は高伸縮部６となっている。この場合も、筋収縮促進布５Ｂ全体に対する低伸縮部７，８の面積比は、１／３〜１／８とするのが好ましい。【００１６】
この筋収縮促進布５Ｂとした場合、図４に矢印で示すように高伸縮部６の収縮作用が働き、鎖骨１３の上部に位置する第２の低伸縮部８が、鎖骨１３の上部で筋収縮促進布５Ｂを安定させる。このため、小胸筋１０の収縮作用を助長することができ、さらに肩甲帯１１を固定し肋骨１２を引き上げるのに効果がある。
【産業上の利用可能性】
【００１７】
この発明は、ブラジャーを対象としているが、これ以外の衣類、例えばタンクトップ、インナーウェア等にも適用できる。また、筋収縮促進布５Ａ，５Ｂを、衣類に取付けずに、単体で使用することも可能である。
【図面の簡単な説明】
【００１８】
【図１】この発明にかかるブラジャーの斜視図である。（実施例１）
【図２】筋収縮促進布の正面図である。（実施例１）
【図３】筋収縮促進布の人体に対する作用の説明図である。（実施例１）
【図４】筋収縮促進布の正面図である。（実施例２）
【図５】筋収縮促進布の人体に対する作用の説明図である。（実施例２）
【符号の説明】
【００１９】
１  カップ
２  背回り帯
３  肩紐
５Ａ，５Ｂ  筋収縮促進布
６  高伸縮部
７，８  低収縮部
【図１】
2008056402.tif 000003
【図２】
2008056402.tif 000004
【図３】
2008056402.tif 000005
【図４】
2008056402.tif 000006
【図５】
2008056402.tif 000007
【国際調査報告】
2008056402.tif 000008
2008056402.tif 000009